(57)【要約】【課題】ネットワーク及び管理装置の負荷を軽減しつつ、拠点のエネルギー消費情報を適切に収集する。【解決手段】予測部２２が、拠点で消費される所定時間帯毎の電力需要予測値を計算または取得する。設定部２３が、電力需要予測値が電力目標値を超過する電力超過予測時間帯が存在するか否かを判定する。存在する場合には、設定部２３は、予測時刻と電力超過予測時間帯が開始する時刻との差分時間、及び電力目標値に対する電力需要予測値の超過電力に基づいて、各拠点から消費電力情報を収集する収集サイクルを、通常時より短くする時間帯を、各拠点装置に設定する。【選択図】図２
2015106365.tif 000002
【特許請求の範囲】
【請求項１】
拠点で消費される所定時間帯毎のエネルギー量の予測値を計算または取得する予測部と、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する設定部と、を含む管理装置と、
前記管理装置により設定された時間間隔毎に、拠点で消費されたエネルギー量の情報を、前記管理装置へ送信する前記拠点装置と、
を含む消費エネルギー管理システム。
【請求項２】
前記設定部は、前記時間間隔を短くする時間帯として、前記予測値が前記目標値を超過する時間帯に、該時間帯の前及び後ろの少なくとも一方に所定時間を加えた時間帯を設定する請求項１記載の消費エネルギー管理システム。
【請求項３】
前記設定部は、前記差分時間が短いほど、または前記超過量が大きいほど、前記所定時間を長くする請求項２記載の消費エネルギー管理システム。
【請求項４】
前記管理装置は、前記設定部により前記時間間隔を短くする時間帯として設定した時間帯において、前記拠点における消費エネルギー量が目標値を超過する可能性がある場合に、前記拠点装置または外部装置に警報を通知する通知部を含む請求項１〜請求項３のいずれか１項記載の消費エネルギー管理システム。
【請求項５】
前記予測部は、複数の拠点の各々で消費される所定時間帯毎のエネルギー量の予測値の各々を計算または取得し、
前記設定部は、拠点毎の予測値が、拠点毎に予め定めた目標値を超える時間帯が存在する拠点に対して、前記時間間隔を短くする時間帯を設定する
請求項１〜請求項４のいずれか１項記載の消費エネルギー管理システム。
【請求項６】
拠点で消費される所定時間帯毎のエネルギー量の予測値を計算または取得する予測部と、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する設定部と、
を含む消費エネルギー管理装置。
【請求項７】
コンピュータに、
拠点で消費される所定時間帯毎のエネルギー量の予測値を計算または取得し、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する
ことを含む処理を実行させる消費エネルギー管理方法。
【請求項８】
コンピュータに、
拠点で消費される所定時間帯毎のエネルギー量の予測値を計算または取得し、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する
ことを含む処理を実行させるための消費エネルギー管理プログラム。
【発明の詳細な説明】
【技術分野】
【０００１】
本発明は、エネルギー管理システム、エネルギー管理装置、エネルギー管理方法、及びエネルギー管理プログラムに関する。
【背景技術】
【０００２】
従来、複数の拠点で消費されるエネルギー量の情報を、クラウド等に配備された管理装置等へ集約するシステムが提案されている。このようなシステムでは、各拠点から、所定時間毎に、消費エネルギー量の情報を管理装置へ送信する。管理装置では、各拠点から収集した消費エネルギー量の情報に基づいて、各拠点におけるエネルギー消費の状況を把握したり、エネルギー需要を予測したりすることができる。また、把握または予測した情報に基づいて、エネルギー消費が目標値を超過しそうな拠点が存在する場合に、運用管理者に通知したり、エネルギー供給量を制御したりする処理が行われる。
【０００３】
また、中央制御装置から各契約需要者の時限単位毎の需要電力計画値を、それぞれ対応する需要電力監視装置へ配信する電力需給管理システムが提案されている。このシステムにおいて、需要電力監視装置は、時限内における電力使用動向から予測演算した時限終了時の需要電力値と中央制御装置から配信された需要電力計画値との差の調整電力値が閾値を超えたときだけ、調整電力値を中央制御装置へ送信している。
【先行技術文献】
【特許文献】
【０００４】
【特許文献１】特開２００１−３２７０７５号公報
【特許文献２】特開２００１−３２０８３２号公報
【発明の概要】
【発明が解決しようとする課題】
【０００５】
しかしながら、各拠点から、所定時間毎に、消費エネルギー量の情報を管理装置へ送信する従来技術において、拠点数が多い場合には、拠点と管理装置との間のネットワーク、及び管理装置に対する負荷が高くなる。拠点が少ない場合でも、拠点から消費エネルギー量の情報が送信される所定時間間隔が短い場合には、同様に、拠点と管理装置との間のネットワーク、及び管理装置に対する負荷が高くなる。
【０００６】
また、調整電力値が閾値を超えたときだけ、調整電力値を中央制御装置へ送信する従来技術では、ネットワーク及び中央制御装置の負荷を軽減することはできる。しかし、この従来技術は、調整電力値が生じた際に中央制御装置において制御を行うことを前提としており、常時情報を収集するような場合が想定されていない。従って、拠点から常時情報を収集する必要がある場合には、上記のようなネットワーク及び管理装置の負荷が高くなるという問題は解決できない。
【０００７】
本発明は、一つの側面として、ネットワーク及び管理装置の負荷を軽減しつつ、拠点のエネルギー消費情報を適切に収集することを目的とする。
【課題を解決するための手段】
【０００８】
一つの態様では、拠点で消費される所定時間帯毎のエネルギー量の予測値を計算または取得する。また、開示の技術は、前記予測値が予め定めた目標値を超過する時間帯が存在するか否かを判定する。存在する場合には、前記拠点で消費されるエネルギー量の情報を、前記拠点に配置された拠点装置から収集する時間間隔を、予め定めた通常時の時間間隔より短くする時間帯を、前記拠点装置に設定する。収集する時間間隔を短くする時間帯は、前記予測値を計算または取得した予測時刻と前記予測値が前記目標値を超過する時間帯が開始する時刻との差分時間、及び前記目標値に対する前記予測値の超過量に基づいて設定する。
【発明の効果】
【０００９】
一つの側面として、ネットワーク及び管理装置の負荷を軽減しつつ、拠点のエネルギー消費情報を適切に収集することができる、という効果を有する。
【図面の簡単な説明】
【００１０】
【図１】本実施形態に係るエネルギー管理システムの概略構成を示すブロック図である。
【図２】管理装置の概略構成を示すブロック図である。
【図３】拠点装置の概略構成を示すブロック図である。
【図４】管理装置として機能するコンピュータの概略構成を示すブロック図である。
【図５】拠点装置として機能するコンピュータの概略構成を示すブロック図である。
【図６】初期設定処理の一例を示すフローチャートである。
【図７】電力メータＩＤと拠点名との対応関係の一例を示す図である。
【図８】拠点毎の契約電力の一例を示す図である。
【図９】拠点毎の電力目標値の一例を示す図である。
【図１０】収集サイクルの一例を示す図である。
【図１１】差分時間に基づく危険度の一例を示す図である。
【図１２】超過電力に基づく危険度の一例を示す図である。
【図１３】総合危険度の一例を示す図である。
【図１４】警報判定時間帯設定時間の一例を示す図である。
【図１５】予測設定処理の一例を示すフローチャートである。
【図１６】警報判定処理の一例を示すフローチャートである。
【図１７】電力需要予測値の一例を示す図である。
【図１８】警報判定時間帯の設定に用いる情報の一例を示す図である。
【図１９】エネルギー管理システムにおける処理の一例を示すタイムチャートである。
【図２０】消費電力情報の一例を示す図である。
【発明を実施するための形態】
【００１１】
以下、図面を参照して開示の技術に係る実施形態の一例を詳細に説明する。
【００１２】
本実施形態に係るエネルギー管理システム１０は、図１に示すように、管理装置２０と、複数の拠点装置３０Ａ、３０Ｂ、３０Ｃ、３０Ｄと、複数の運用管理者端末４０Ａ、４０Ｂとを含む。管理装置２０は、クラウドなどに配備されるサーバ装置である。複数の拠点装置３０Ａ、３０Ｂ、３０Ｃ、３０Ｄの各々は、管理装置２０の管理下にある複数の拠点の各々に設置される。運用管理者端末４０Ａ、４０Ｂの各々は、運用管理者が使用する端末である。複数の拠点装置３０Ａ、３０Ｂ、３０Ｃ、３０Ｄの各々と管理装置２０、及び運用管理者端末４０Ａ、４０Ｂの各々と管理装置２０とは、それぞれネットワークを介して接続されている。
【００１３】
以下、拠点装置３０Ａ、３０Ｂ、３０Ｃ、３０Ｄの各々を区別なく説明する場合には、単に「拠点装置３０」と表記する。また、運用管理者端末４０Ａ、４０Ｂの各々を区別なく説明する場合には、単に「運用管理者端末４０」と表記する。
【００１４】
図２に示すように、管理装置２０は、機能部として、収集部２１、予測部２２、設定部２３、及び通知部２４を備える。
【００１５】
収集部２１は、各拠点装置３０から送信される消費電力情報を収集し、収集した消費電力情報を、消費電力情報データベース（ＤＢ）２６に格納する。
【００１６】
予測部２２は、消費電力情報ＤＢ２６に格納された消費電力情報、及び気象情報ＤＢ２７に格納された気象情報に基づいて、拠点で消費される所定時間帯毎の電力量の予測値（以下、「電力需要予測値」という）を計算する。気象情報ＤＢ２７には、気象情報の配信を行うサービス事業者から取得した気象情報が格納される。気象情報は、例えば、地域気象観測所における観測データや予測データである。
【００１７】
予測部２２は、例えば、拠点が属する地域の気象情報に含まれる観測データを、所定時間帯毎にデータ化する。所定時間帯は、例えば、０：００−０：３０、０：３０−１：００、・・・のように、２４時間を３０分単位で区切った各時間帯とすることができる。また、予測部２２は、拠点が属する地域の気象情報に含まれる予測データを、同様の所定時間帯毎にデータ化する。さらに、予測部２２は、各拠点における過去の消費電力情報を、同様の所定時間帯毎にデータ化する。予測部２２は、これらのデータを統計処理し、所定時間帯毎の電力需要予測値を計算する。統計処理は、例えば、気象情報の予測データと同様の観測データが観測されたときの消費電力情報の平均値等とすることができる。
【００１８】
なお、上記の電力需要予測値の計算方法は一例であり、他の方法を用いてもよい。例えば、過去の消費電力情報のみから電力需要予測値を計算してもよい。また、予測部２２が電力需要予測値を計算する場合に限定されず、外部で計算された電力需要予測値を、予測部２２が取得するようにしてもよい。
【００１９】
設定部２３は、予測部２２で計算または取得した電力需要予測値が拠点毎の消費電力量の目標値（以下、「電力目標値」という）を超過する時間帯（以下、「電力超過予測時間帯」という）が存在するか否かを判定する。電力目標値は、例えば拠点毎の契約電力に基づいて、予め定めておくことができる。設定部２３は、電力超過予測時間帯が存在すると判定した場合には、予測部２２で電力需要予測値を計算または取得した時刻（以下、「予測時刻」という）と、電力需要予測値が電力目標値を超過する時間帯の開始時刻との差分時間を計算する。また、設定部２３は、電力需要予測値が電力目標値を超過している時間帯における、電力目標値に対する電力需要予測値の超過電力を計算する。
【００２０】
また、設定部２３は、計算した差分時間及び超過電力に基づいて、拠点装置３０から消費電力情報を収集する収集サイクルを、予め定めた通常時の収集サイクルより短くする時間帯を設定する。例えば、通常３０分間隔の収集サイクルで拠点装置３０から消費電力情報を収集している場合、３０分間隔に変えて、５分間隔の収集サイクルで消費電力情報を収集する時間帯を設定する。設定部２３は、収集サイクルを短くする時間帯として、電力超過予測時間帯の前及び後ろの少なくとも一方に所定時間を加えた時間帯とすることができる。また、設定部２３は、差分時間が短いほど、または超過電力が大きいほど、加える所定時間を長くして、収集サイクルを短くする時間帯を長くするように設定する。
【００２１】
通知部２４は、設定部２３により収集サイクルを短くする時間帯として設定された時間帯において収集された消費電力情報に基づいて、警報判定処理を実行する。通知部２４は、例えば、警報判定処理として、消費電力量が電力目標値を超過した場合に、拠点装置３０または運用管理者端末４０へ、消費電力量が電力目標値を超過した旨の警報を送信する。
【００２２】
図３に示すように、拠点装置３０は、機能部として、受信部３１、計測部３２、及び送信部３３を備える。
【００２３】
受信部３１は、管理装置２０から送信された収集サイクルを示す情報を受信し、収集サイクルに基づいて、拠点の消費電力情報を管理装置２０へ送信するタイミングを設定する。
【００２４】
計測部３２は、拠点で消費された電力量を示す消費電力情報を、電力メータ９０の計測値を短周期（例えば１分間隔）で取得することにより計測する。消費電力情報は、消費電力量と電力メータ９０を識別する電力メータＩＤとを対応付けた情報とすることができる。
【００２５】
送信部３３は、計測部３２で計測された消費電力情報を、受信部３１により設定された収集サイクルに基づくタイミングで管理装置２０へ送信する。
【００２６】
運用管理者端末４０は、パーソナルコンピュータ（ＰＣ）、ノートＰＣ、携帯電話、タブレット等の端末である。運用管理者端末４０は、例えば、端末に搭載されたＷｅｂブラウザを介して、管理装置２０で収集された消費電力情報を参照可能な操作部及び表示部を有する。また、運用管理者端末４０は、管理装置２０から通知された警報を受信し、運用管理者端末４０を使用する運用管理者に警報を報知する。
【００２７】
管理装置２０は、例えば図４に示すコンピュータ５０で実現することができる。コンピュータ５０はＣＰＵ５２、メモリ５４、不揮発性の記憶部５６、入出力インターフェース（Ｉ／Ｆ）５７、及びネットワークＩ／Ｆ５８を備えている。ＣＰＵ５２、メモリ５４、記憶部５６、入出力Ｉ／Ｆ５７、及びネットワークＩ／Ｆ５８は、バス５９を介して互いに接続されている。コンピュータ５０は、ネットワークＩ／Ｆ５８を介して、消費電力情報ＤＢ２６及び気象情報ＤＢ２７が記憶された外部記憶装置と接続される。なお、消費電力情報ＤＢ２６及び気象情報ＤＢ２７は、コンピュータ５０の記憶部５６に記憶してもよい。
【００２８】
記憶部５６はＨＤＤ（Hard Disk Drive）やフラッシュメモリ等によって実現できる。記録媒体としての記憶部５６には、コンピュータ５０を管理装置２０として機能させるための管理プログラム６０が記憶されている。ＣＰＵ５２は、管理プログラム６０を記憶部５６から読み出してメモリ５４に展開し、管理プログラム５０が有するプロセスを順次実行する。管理プログラム５０は、収集プロセス６１、予測プロセス６２、設定プロセス６３、及び通知プロセス６４を有する。
【００２９】
ＣＰＵ５２は、収集プロセス６１を実行することで、図２に示す収集部２１として動作する。また、ＣＰＵ５２は、予測プロセス６２を実行することで、図２に示す予測部２２として動作する。また、ＣＰＵ５２は、設定プロセス６３を実行することで、図２に示す設定部２３として動作する。また、ＣＰＵ５２は、通知プロセス６４を実行することで、図２に示す通知部２４として動作する。これにより、管理プログラム６０を実行したコンピュータ５０が、管理装置２０として機能することになる。
【００３０】
また、拠点装置３０は、例えば図５に示すコンピュータ７０で実現することができる。コンピュータ７０はＣＰＵ７２、メモリ７４、不揮発性の記憶部７６、入出力Ｉ／Ｆ７７、及びネットワークＩ／Ｆ７８を備えている。ＣＰＵ７２、メモリ７４、記憶部７６、入出力Ｉ／Ｆ７７、及びネットワークＩ／Ｆ７８は、バス７９を介して互いに接続されている。また、入出力Ｉ／Ｆ７７には電力メータ９０が接続される。
【００３１】
記憶部７６はＨＤＤやフラッシュメモリ等によって実現できる。記録媒体としての記憶部７６には、コンピュータ７０を拠点装置３０として機能させるための拠点プログラム８０が記憶されている。ＣＰＵ７２は、拠点プログラム８０を記憶部７６から読み出してメモリ７４に展開し、拠点プログラム８０が有するプロセスを順次実行する。拠点プログラム８０は、受信プロセス８１、計測プロセス８２、及び送信プロセス８３を有する。
【００３２】
ＣＰＵ７２は、受信プロセス８１を実行することで、図３に示す受信部３１として動作する。また、ＣＰＵ７２は、計測プロセス８２を実行することで、図３に示す計測部３２として動作する。また、ＣＰＵ７２は、送信プロセス８３を実行することで、図３に示す送信部３３として動作する。これにより、拠点プログラム８０を実行したコンピュータ７０が、拠点装置３０として機能することになる。
【００３３】
なお、運用管理者端末４０は、コンピュータ５０、７０と同様のコンピュータで実現することができるため、詳細な説明を省略する。
【００３４】
また、管理装置２０、拠点装置３０、及び運用管理者端末４０の各々は、例えば半導体集積回路、より詳しくはＡＳＩＣ（Application Specific Integrated Circuit）等で実現することも可能である。
【００３５】
次に、本実施形態に係るエネルギー管理システム１０の作用について説明する。まず、管理装置２０が、図６に示す初期設定処理を実行する。また、管理装置２０が、図１５に示す予測設定処理を実行し、拠点装置３０に収集サイクルを設定する。各拠点装置３０では、設定された収集サイクルに基づいて、消費電力情報を収集して、管理装置２０へ送信する。さらに、管理装置２０は、各拠点装置３０から収集した消費電力情報に基づいて、図１６に示す警報判定処理を実行する。以下、各処理について詳述する。
【００３６】
図６に示す初期設定処理のステップＳ１１で、設定部２３が、図７に示すように、管理する各拠点で消費される電力を計測する電力メータ９０を識別する電力メータＩＤを、拠点の識別情報（例えば「拠点名」）に対応付けて設定する。ここでは、拠点装置３０Ａ、３０Ｂ、３０Ｃ、３０Ｄが設置された拠点を、それぞれ拠点Ａ、拠点Ｂ、拠点Ｃ、拠点Ｄとする。
【００３７】
次に、ステップＳ１２で、設定部２３が、図８に示すように、拠点毎の契約電力の情報を取得する。ここでは、契約電力は、デマンド時限（３０分間）の平均使用電力であるデマンドを基準に決定された値である。
【００３８】
次に、ステップＳ１３で、設定部２３が、図９に示すように、拠点毎の電力目標値を設定する。例えば、契約電力の９５％等の値を電力目標値として設定することができる。
【００３９】
次に、ステップＳ１４で、設定部２３が、図１０に示すように、各拠点装置３０から消費電力情報を収集する時間間隔である収集サイクルを、通常時及び緊急時の各々について設定する。緊急時の収集サイクル（例えば、５分間隔）は、通常時の収集サイクル（例えば、３０分間隔）より短い時間間隔を設定する。これにより、緊急時には、消費電力情報を詳細に収集することができる。
【００４０】
次に、ステップＳ１５で、設定部２３が、図１１に示すように、電力需要予測値の予測時刻と電力超過予測時間帯の開始時刻との差分時間に基づく危険度を設定する。差分時間が短い場合（例えば、差分時間が１時間未満の場合）には、消費電力量が電力目標値を超過する恐れがある時刻まで時間的余裕がないことを表すため、設定部２３は、危険度を高く設定する。一方、差分時間が長い場合（例えば、差分時間が１時間以上の場合）には、消費電力量が電力目標値を超過する恐れがある時刻まで時間的余裕があることを表すため、設定部２３は、危険度を低く設定する。
【００４１】
次に、ステップＳ１６で、設定部２３が、図１２に示すように、電力目標値に対する電力需要予測値の超過電力に基づく危険度を設定する。設定部２３は、超過電力が大きい場合は、危険度を高く設定し、超過電力が小さい場合は、危険度を低く設定する。超過電力の大小の判定基準は、契約電力及び電力目標値の大小に応じて異なるため、図１２に示すように、契約電力と電力目標値との差分に所定の補正値を乗算した値を、超過電力が超えるか否かによって、超過電力が大きいか小さいかを判定することができる。
【００４２】
次に、ステップＳ１７で、設定部２３が、図１３に示すように、差分時間が短いほど、または超過電力が大きいほど高くなる総合危険度を設定する。図１３の例では、総合危険度は、差分時間に基づく危険度及び超過電力に基づく危険度の両方が「高」の場合に「高」、いずれか一方が「高」の場合に「中」、両方が「低」の場合に「低」と設定されている。
【００４３】
次に、ステップＳ１８で、設定部２３が、図１４に示すように、総合危険度に応じた警報判定時間帯設定時間を設定する。警報判定時間帯設定時間とは、電力超過予測時間帯の前後の所定時間であり、電力超過予測時間帯と警報判定時間帯設定時間とに基づいて、警報判定時間帯が設定される。警報判定時間帯とは、後述する警報判定処理が実行される時間帯であり、かつ「緊急時」の収集サイクルが設定される時間帯である。設定部２３は、総合危険度が高いほど、すなわち、差分時間が短いほど、または超過電力が大きいほど、警報判定時間帯設定時間が長くなるように設定する。
【００４４】
上記の各設定が終了すると、初期設定処理を終了する。なお、拠点名、各拠点の電力メータ９０の電力メータＩＤ、各拠点の契約電力の情報、その他各種設定値の情報は、入出力Ｉ／Ｆ５７に接続された図示しない入力装置を介して入力された情報を受け付けることにより取得することができる。
【００４５】
次に、図１５に示す予測設定処理のステップＳ２１で、予測部２２が、消費電力情報ＤＢ２６に格納された消費電力情報、及び気象情報ＤＢ２７に格納された気象情報を取得する。なお、予測部２２は、初期設定処理のステップＳ１１で設定された拠点と電力メータＩＤとの対応関係を参照して、消費電力情報が有する電力メータＩＤに基づいて、拠点毎の消費電力情報を取得する。そして、予測部２２が、消費電力情報及び気象情報に基づいて、拠点毎の電力需要予測値を計算する。
【００４６】
次に、ステップＳ２２で、設定部２３が、拠点毎の電力需要予測値と、初期設定処理のステップＳ１３で設定された拠点毎の電力目標値とを比較し、電力超過予測時間帯が存在するか否かを、拠点毎に判定する。電力超過予測時間帯が存在する拠点については、処理はステップＳ２３へ移行し、電力超過予測時間帯が存在しない拠点については、処理はステップＳ２８へ移行する。
【００４７】
ステップＳ２３では、設定部２３が、予測時刻と電力超過予測時間帯の開始時刻との差分時間を計算する。そして、設定部２３は、初期設定処理のステップＳ１５での設定内容に応じて、計算した差分時間に基づく危険度を取得する。
【００４８】
次に、ステップＳ２４で、設定部２３が、電力目標値に対する電力需要予測値の超過電力を計算する。そして、設定部２３は、初期設定処理のステップＳ１６での設定内容に応じて、計算した超過電力に基づく危険度を取得する。
【００４９】
次に、ステップＳ２５で、設定部２３が、初期設定処理のステップＳ１７での設定内容に応じて、差分情報に基づく危険度及び超過電力に基づく危険度に応じた総合危険度を取得する。
【００５０】
次に、ステップＳ２６で、設定部２３が、初期設定処理のステップＳ１８での設定内容に応じて、総合危険度に応じた警報判定時間帯設定時間を取得する。そして、設定部２３が、電力超過予測時間帯及び警報判定時間帯設定時間に基づいて、電力超過予測時間帯が存在する拠点毎の警報判定時間帯を設定する。
【００５１】
次に、ステップＳ２７で、設定部２３が、初期設定処理のステップＳ１４での設定内容に応じて、警報判定時間帯の収集サイクルを「緊急時」の収集サイクルに設定すると共に、警報判定時間帯以外の時間帯の収集サイクルを「通常時」の収集サイクルに設定する。一方、ステップＳ２８では、全ての時間帯の収集サイクルを「通常時」の収集サイクルに設定する。
【００５２】
次に、ステップＳ２９で、設定部２３が、設定した収集サイクルの情報を、各拠点装置３０へ送信して、予測設定処理を終了する。
【００５３】
次に、図１６に示す警報判定処理について説明する。警報判定処理は、拠点毎に所定時間毎に実行される。
【００５４】
ステップＳ３１で、通知部２４が、現在が予測設定処理のステップＳ２６で設定された警報判定時間帯か否かを判定する。警報判定時間帯の場合には、処理はステップＳ３２へ移行し、警報判定時間帯ではない場合には、警報判定処理を終了する。
【００５５】
ステップＳ３２では、通知部２４が、消費電力情報ＤＢ２６から、直近の消費電力情報を取得する。
【００５６】
次に、ステップＳ３３で、通知部２４が、消費電力量が初期設定処理のステップＳ１３で設定された電力目標値を超過したか否かを判定する。超過していない場合には、処理はステップＳ３１へ戻り、超過している場合には、処理はステップＳ３４へ移行する。
【００５７】
ステップＳ３４では、通知部２４が、消費電力量が電力目標値を超過した旨の警報を、例えばメールなどにより、拠点装置３０または運用管理者端末４０へ送信して、警報判定処理を終了する。
【００５８】
次に、より具体的な例を用いて、エネルギー管理システム１０における処理について説明する。ここでは、初期設定処理により、図７〜図１４に示す各種情報が設定されているものとする。
【００５９】
予測部２２が、予測時刻７：３０に、各拠点の電力需要予測値を、図１７に示すように計算したとする。各拠点の電力目標値は図９に示すとおりであるため、拠点Ａについて、１４：００−１４：３０が電力超過予測時間帯となっている。また、拠点Ｄについて、８：００−９：００が電力超過予測時間帯となっている。
【００６０】
設定部２３は、図１８に示すように、拠点Ａについて、予測時刻と電力予測時間帯の開始時刻との差から、差分時間を６．５時間と計算する。設定部２３は、図１１を参照して、差分時間に基づく危険度「低」を取得する。また、設定部２３は、拠点Ａについて、電力需要予測値と電力予測値とから、超過電力を５ＫＷと計算する。設定部２３は、図８、９、１２を参照して、（契約電力−電力目標値）×補正値＝（４００ＫＷ−３８０ＫＷ）×５０％＝１０ＫＷと計算する。従って、超過電力５ＫＷが１０ＫＷ以下であるため、設定部２３は、図１２を参照して、超過電力に基づく危険度「低」を取得する。
【００６１】
さらに、設定部２３は、図１３を参照して、総合危険度「低」を取得する。そして、設定部２３は、図１４を参照して、総合危険度「低」に対応した警報判定時間帯設定時間「前後５分」を取得する。これにより、設定部２３は、拠点Ａについての電力超過時間帯１４：００−１４：３０に前後５分を加えた１３：５５−１４：３５を警報判定時間帯として設定する。すなわち、設定部２３は、図１０を参照して、拠点Ａについて、１３：５５−１４：３５では、収集サイクルを５分間隔、その他の時間帯では、収集サイクルを３０分間隔に設定する。
【００６２】
設定部２３は、図１８に示すように、拠点Ｄについて、拠点Ａの場合と同様に、差分時間０．５時間、差分時間に基づく危険度「高」、超過電力４５ＫＷ、超過電力に基づく危険度「高」、総合危険度「高」、警報判定時間帯設定時間「前後３０分」を取得する。そして、設定部２３は、拠点Ｄについての電力超過時間帯８：００−９：００に前後３０分を加えた７：３０−９：３０を警報判定時間帯として設定する。すなわち、設定部２３は、図１０を参照して、拠点Ｄについて、７：３０−９：３０では、収集サイクルを５分間隔、その他の時間帯では、収集サイクルを３０分間隔に設定する。
【００６３】
上記の設定内容を図１９のタイムチャートに示す。図１９では、電力需要予測値が電力目標値を超過する時間帯をＮＧ、超過しない時間帯をＯＫの２値で表している。拠点Ｂ及び拠点Ｃについては、電力超過予測時間帯が存在しないため、収集サイクルが全時間帯で３０分間隔に設定されている。一方、拠点Ａ及び拠点Ｄについては、電力超過予測時間帯の前後に警報判定時間帯設定時間を加えた警報判定時間帯において、収集サイクルが５分間隔に設定されている。
【００６４】
上記のように設定された収集サイクルに基づいて、拠点装置３０から収集されて消費電力情報ＤＢ２６に格納された消費電力情報の一例を図２０に示す。各拠点について、全時間帯に渡って３０分間隔で収集された消費電力情報と共に、拠点Ａ及び拠点Ｄについては、警報判定時間帯において５分間隔で収集された消費電力情報が格納されている。
【００６５】
以上説明したように、本実施形態に係るエネルギー管理システムによれば、電力需要予測値が電力目標値を超過する時間帯までの時間が短いほど、または電力目標値に対する電力需要予測値の超過量が大きいほど危険度を高くする。そして、危険度が高いほど、消費電力情報を拠点から収集する時間間隔を短くする。これにより、電力需要予測値の予測時刻から間もなく電力超過の恐れがある場合でも、消費電力情報を詳細に収集することができる。また、電力超過の恐れがある時刻まで間がある場合には、収集サイクルを長くしておいても十分な消費電力情報が収集できる。従って、ネットワーク及び管理装置の負荷を軽減しつつ、拠点の消費電力情報を適切に収集することができる。
【００６６】
また、警報判定処理を、収集サイクルを短い時間間隔に設定した時間帯のみで行うことで、管理装置２０の処理負荷をさらに軽減することができる。
【００６７】
なお、上記実施形態では、エネルギーとして電力量を一例に説明したが、他のエネルギーについても開示の技術を適用可能である。
【００６８】
また、上記では、管理プログラム６０及び拠点プログラム８０が記憶部５６及び記憶部７６に予め記憶（インストール）されている態様を説明したが、ＣＤ−ＲＯＭやＤＶＤ−ＲＯＭ等の記録媒体に記録された形態で提供することも可能である。
【００６９】
以上の実施形態に関し、更に以下の付記を開示する。
【００７０】
（付記１）
拠点で消費される所定時間帯毎のエネルギー量の予測値を計算または取得する予測部と、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する設定部と、を含む管理装置と、
前記管理装置により設定された時間間隔毎に、拠点で消費されたエネルギー量の情報を、前記管理装置へ送信する前記拠点装置と、
を含む消費エネルギー管理システム。
【００７１】
（付記２）
前記設定部は、前記時間間隔を短くする時間帯として、前記予測値が前記目標値を超過する時間帯に、該時間帯の前及び後ろの少なくとも一方に所定時間を加えた時間帯を設定する付記１記載の消費エネルギー管理システム。
【００７２】
（付記３）
前記設定部は、前記差分時間が短いほど、または前記超過量が大きいほど、前記所定時間を長くする付記２記載の消費エネルギー管理システム。
【００７３】
（付記４）
前記管理装置は、前記設定部により前記時間間隔を短くする時間帯として設定した時間帯において、前記拠点における消費エネルギー量が目標値を超過する可能性がある場合に、前記拠点装置または外部装置に警報を通知する通知部を含む付記１〜付記３のいずれか１項記載の消費エネルギー管理システム。
【００７４】
（付記５）
前記予測部は、複数の拠点の各々で消費される所定時間帯毎のエネルギー量の予測値の各々を計算または取得し、
前記設定部は、拠点毎の予測値が、拠点毎に予め定めた目標値を超える時間帯が存在する拠点に対して、前記時間間隔を短くする時間帯を設定する
付記１〜付記４のいずれか１項記載の消費エネルギー管理システム。
【００７５】
（付記６）
拠点で消費される所定時間帯毎のエネルギー量の予測値を計算または取得する予測部と、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する設定部と、
を含む消費エネルギー管理装置。
【００７６】
（付記７）
前記設定部は、前記時間間隔を短くする時間帯として、前記予測値が前記目標値を超過する時間帯に、該時間帯の前及び後ろの少なくとも一方に所定時間を加えた時間帯を設定する付記６記載の消費エネルギー管理装置。
【００７７】
（付記８）
前記設定部は、前記差分時間が短いほど、または前記超過量が大きいほど、前記所定時間を長くする付記７記載の消費エネルギー管理装置。
【００７８】
（付記９）
前記設定部により前記時間間隔を短くする時間帯として設定した時間帯において、前記拠点における消費エネルギー量が目標値を超過する可能性がある場合に、前記拠点装置または外部装置に警報を通知する通知部を含む付記６〜付記８のいずれか１項記載の消費エネルギー管理装置。
【００７９】
（付記１０）
前記予測部は、複数の拠点の各々で消費される所定時間帯毎のエネルギー量の予測値の各々を計算または取得し、
前記設定部は、拠点毎の予測値が、拠点毎に予め定めた目標値を超える時間帯が存在する拠点に対して、前記時間間隔を短くする時間帯を設定する
付記６〜付記９のいずれか１項記載の消費エネルギー管理装置。
【００８０】
（付記１１）
コンピュータに、
拠点で消費される所定時間帯毎のエネルギー量の予測値を計算または取得し、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する
ことを含む処理を実行させる消費エネルギー管理方法。
【００８１】
（付記１２）
前記時間間隔を短くする時間帯として、前記予測値が前記目標値を超過する時間帯に、該時間帯の前及び後ろの少なくとも一方に所定時間を加えた時間帯を設定する付記１１記載の消費エネルギー管理方法。
【００８２】
（付記１３）
前記差分時間が短いほど、または前記超過量が大きいほど、前記所定時間を長くする付記１２記載の消費エネルギー管理方法。
【００８３】
（付記１４）
前記コンピュータに、前記時間間隔を短くする時間帯として設定した時間帯において、前記拠点における消費エネルギー量が目標値を超過する可能性がある場合に、前記拠点装置または外部装置に警報を通知することをさらに実行させる付記１１〜付記１３のいずれか１項記載の消費エネルギー管理方法。
【００８４】
（付記１５）
前記コンピュータに、
複数の拠点の各々で消費される所定時間帯毎のエネルギー量の予測値の各々を計算または取得し、
拠点毎の予測値が、拠点毎に予め定めた目標値を超える時間帯が存在する拠点に対して、前記時間間隔を短くする時間帯を設定する
ことを含む処理を実行させる付記１１〜付記１４のいずれか１項記載の消費エネルギー管理方法。
【００８５】
（付記１６）
コンピュータに、
拠点で消費される所定時間帯毎のエネルギー量の予測値を計算または取得し、
前記予測値が予め定めた目標値を超過する時間帯が存在する場合に、前記予測値を計算または取得した予測時刻と前記予測値が前記目標値を超過する時間帯が開始する時刻との差分時間、及び前記目標値に対する前記予測値の超過量に基づいて、前記拠点で消費されるエネルギー量の情報を、前記拠点に配置された拠点装置から収集する時間間隔を、予め定めた通常時の時間間隔より短くする時間帯を、前記拠点装置に設定する
ことを含む処理を実行させるための消費エネルギー管理プログラム。
【００８６】
（付記１７）
前記時間間隔を短くする時間帯として、前記予測値が前記目標値を超過する時間帯に、該時間帯の前及び後ろの少なくとも一方に所定時間を加えた時間帯を設定する付記１６記載の消費エネルギー管理プログラム。
【００８７】
（付記１８）
前記差分時間が短いほど、または前記超過量が大きいほど、前記所定時間を長くする付記１７記載の消費エネルギー管理プログラム。
【００８８】
（付記１９）
前記コンピュータに、前記時間間隔を短くする時間帯として設定した時間帯において、前記拠点における消費エネルギー量が目標値を超過する可能性がある場合に、前記拠点装置または外部装置に警報を通知することをさらに実行させるための付記１６〜付記１８のいずれか１項記載の消費エネルギー管理プログラム。
【００８９】
（付記２０）
前記コンピュータに、
複数の拠点の各々で消費される所定時間帯毎のエネルギー量の予測値の各々を計算または取得し、
拠点毎の予測値が、拠点毎に予め定めた目標値を超える時間帯が存在する拠点に対して、前記時間間隔を短くする時間帯を設定する
ことを含む処理を実行させるための付記１６〜付記１９のいずれか１項記載の消費エネルギー管理プログラム。
【符号の説明】
【００９０】
１０   エネルギー管理システム
２０   管理装置
２１   収集部
２２   予測部
２３   設定部
２４   通知部
３０   拠点装置
３１   受信部
３２   計測部
３３   送信部
４０   運用管理者端末
５０、７０    コンピュータ
５２、７２    ＣＰＵ
５４、７４    メモリ
５６、７６    記憶部
６０   管理プログラム
８０   拠点プログラム
【図１】
2015106365.tif 000003
【図２】
2015106365.tif 000004
【図３】
2015106365.tif 000005
【図４】
2015106365.tif 000006
【図５】
2015106365.tif 000007
【図６】
2015106365.tif 000008
【図７】
2015106365.tif 000009
【図８】
2015106365.tif 000010
【図９】
2015106365.tif 000011
【図１０】
2015106365.tif 000012
【図１１】
2015106365.tif 000013
【図１２】
2015106365.tif 000014
【図１３】
2015106365.tif 000015
【図１４】
2015106365.tif 000016
【図１５】
2015106365.tif 000017
【図１６】
2015106365.tif 000018
【図１７】
2015106365.tif 000019
【図１８】
2015106365.tif 000020
【図１９】
2015106365.tif 000021
【図２０】
2015106365.tif 000022